(57)【要約】【課題】  テレビジョン受像機の電源がオフのときに、意図しない外部機器の電源のオンにより、自動的に電源がオンしてしまうことを防ぐ。【解決手段】  外部機器の電源オンを検知すると、タイムカウントを開始する。外部機器の電源オフを検知した後、所定時間内に２回目の電源オンを検知したとき、電源をオンして、映像を表示する。外部機器の電源がオフしないとき、２回目の電源オンがないとき、あるいは所定時間を越えて２回目の電源オンがあったとき、このような場合には、テレビジョン受像機の電源はオンしない。【選択図】  図３
2005167774.tif 000002
【特許請求の範囲】
【請求項１】
外部機器を接続する複数の入力端子と、前記外部機器からの入力信号に基づいて動作する出力装置と、該出力装置を駆動制御する制御装置とを備え、該制御装置は、前記入力端子からの入力の有無を検出する入力検出手段と、前記入力の形態が通常の形態とは異なる特異な形態のとき、前記出力装置の動作を開始させる駆動手段とを有することを特徴とする映像音響機器。
【請求項２】
制御装置は、複数の外部機器からの入力信号が同時にあったときにいずれの入力端子からの入力を受け付けるかを決める優先順位を複数の入力端子に対して設定することを特徴とする請求項１記載の映像音響機器。
【請求項３】
制御装置は、入力が通常の形態のとき、出力装置の動作を開始させる第１動作モードと、入力が特異な形態のとき、出力装置の動作を開始させる第２動作モードとを有し、各入力端子に対して、いずれかのモードが設定されたことを特徴とする請求項１または２記載の映像音響機器。
【請求項４】
決められた時間に信号を出力する外部機器が接続された入力端子に対して、第２動作モードが設定されたことを特徴とする請求項３記載の映像音響機器。
【請求項５】
外部機器を接続する複数の入力端子と、前記外部機器に連動して電源をオンオフ制御する制御装置とを備え、該制御装置は、自機器の電源がオフのときに、前記外部機器の電源のオンオフを検出する入力検出手段と、前記外部機器の電源のオンオフが繰り返されることを検出したとき、電源をオンする駆動手段とを有することを特徴とする映像音響機器。
【請求項６】
入力検出手段は、所定時間内における外部機器の電源のオンオフを検出し、所定時間内に１回だけ電源がオンしたことを検出したとき、駆動手段は、電源をオフのままにすることを特徴とする請求項５記載の映像音響機器。
【請求項７】
制御装置は、複数の外部機器の電源がオンされたときにいずれの外部機器を優先するかを決める優先順位を複数の入力端子に対して設定することを特徴とする請求項５または６記載の映像音響機器。
【発明の詳細な説明】
【技術分野】
【０００１】
本発明は、記録再生装置等の外部機器からの入力された映像や音声を出力するテレビジョン受像機等の映像音響機器に関する。
【背景技術】
【０００２】
テレビジョン受像機等の映像音響機器は、記録再生装置等の外部機器を接続するための複数の入力端子を備えている。そして、入力端子に接続された外部機器から映像信号が出力されると、映像音響機器は、画面に映像を表示するとともに、音声をスピーカから発する。
【０００３】
ところで、映像音響機器は、電源がオフであっても、入力端子に外部機器からの入力信号があると、自動的に電源をオンして、映像を表示するといった動作を開始する。このような自動電源オン機能を有する映像音響機器が特許文献１に記載されている。すなわち、入力端子に映像信号が入力されたか否かを判定する。映像信号が入力されたとき、電源をオンし、入力された映像を表示する。
【特許文献１】特開平９−１３５４０６号公報
【発明の開示】
【発明が解決しようとする課題】
【０００４】
上記のような自動電源オン機能を有していれば、外部機器の電源をオンすると、映像信号が入力され、自動的に電源がオンして、映像が表示される。しかし、外部機器の電源が自動的にオフしても、ユーザが映像音響機器の電源をオフしない限り、そのまま電源オンの状態が続く。
【０００５】
例えば、テレビ放送を受信する記録再生装置は、テレビ放送の時報を利用して、内蔵された時計のずれを修正するジャストクロック機能を有している。時報が放送される少し前に記録再生装置の電源が自動的にオンし、その後自動的に電源がオフされる。このとき、記録再生装置は、受信したチャンネルの映像信号を映像音響機器の入力端子に出力する。映像音響機器では、映像信号を検出して、自動的に電源がオンされ、映像が表示される。また、記録再生装置がタイマ録画を実行するときに、映像音響機器に映像信号が入力され、電源が自動的にオンする場合もある。
【０００６】
ところが、夜中やユーザの不在のときのように、ユーザが意図しないときに、映像音響機器の電源がオンされ、そのままの状態になることがある。このとき、映像音響機器は、外部機器からの映像信号が入力しなくなっても、画面には何も表示されない状態で動作し続ける。このような状態では、無駄に電力を消費し、ユーザは異常かと戸惑うことがある。
【０００７】
そこで、本発明は、上記に鑑み、ユーザが意図しないときに外部機器からの入力信号があっても、電源が自動的にオンすることを防げる映像音響機器の提供を目的とする。
【課題を解決するための手段】
【０００８】
本発明は、外部機器を接続する複数の入力端子と、前記外部機器からの入力信号に基づいて動作する出力装置と、該出力装置を駆動制御する制御装置とを備え、該制御装置は、前記入力端子からの入力の有無を検出する入力検出手段と、前記入力の形態が通常の形態とは異なる特異な形態のとき、前記出力装置の動作を開始させる駆動手段とを有するものである。なお、出力装置は、例えばＣＲＴ、液晶ディスプレイ、プラズマディスプレイといった表示装置やスピーカ等の映像、音声を出力するものである。
【０００９】
自動電源オン機能を有する制御装置は、外部機器から通常の入力形態で入力信号があるとき、これは意図しない外部機器からの入力であると判断する。このとき、出力装置の動作は開始されない。一方、特異な入力形態の入力信号は、ユーザが意図的に行わないと、発生しないものとする。すなわち、外部機器に連動して映像音響機器も動作させたいとき、外部機器から特異な形態の入力信号が出力される。制御装置は、この特異な形態の入力信号を検知すると、出力装置を動作させる。したがって、ユーザが意図しないときに出力装置が動作することを防止できる。
【００１０】
制御装置は、入力が通常の形態のとき、出力装置の動作を開始させる第１動作モードと、入力が特異な形態のとき、出力装置の動作を開始させる第２動作モードとを有する。そして、各入力端子に対して、いずれかのモードが設定される。これによって、外部機器の種類に応じて動作モードを設定できる。したがって、自動電源オン機能を有効にしながら、意図しないときに出力装置が動作することを禁止できる。
【００１１】
ユーザが意図しないときに出力装置を動作させる外部機器は、決められた時間に信号を出力する。このような外部機器が接続された入力端子に対しては、第２動作モードを設定する。
【００１２】
制御装置は、複数の外部機器からの入力信号が同時にあったときにいずれの入力端子からの入力を受け付けるかを決める優先順位を複数の入力端子に対して設定する。優先順位を決めることにより、動作中に他の外部機器からの入力によって動作が切り替わることを防げる。
【００１３】
ここで、外部機器の電源のオンオフを検出して、入力の有無を検出してもよい。外部機器に連動して電源をオンオフ制御する制御装置は、自機器の電源がオフのときに、外部機器の電源のオンオフを検出する入力検出手段と、前記外部機器の電源のオンオフが繰り返されることを検出したとき、電源をオンする駆動手段とを有する。なお、電源がオンすることにより、出力装置に電源が供給され、動作が開始する。
【００１４】
入力検出手段は、所定時間内における外部機器の電源のオンオフを検出する。所定時間内に１回だけ電源がオンしたことを検出したとき、制御装置は、通常の入力形態であると判断する。そこで、駆動手段は電源をオフのままにし、出力装置は動作しない。所定時間内に電源のオンが複数回あったことを検出したとき、制御装置は特異な入力形態であると判断する。駆動手段は電源をオンし、出力装置は動作を開始する。
【発明の効果】
【００１５】
本発明によると、通常とは異なる入力形態で外部機器からの入力があったときに、電源のオンといったように動作を開始させる。そのため、ユーザが意図しないときに外部機器からの入力があっても、これが通常の入力形態であると、電源が自動的にオンすることを防止できる。したがって、夜中やユーザの不在のときに、映像音響機器だけが動作しているといった状態を回避できる。
【発明を実施するための最良の形態】
【００１６】
本実施形態の映像音響機器としてのテレビジョン受像機を図１に示す。テレビジョン受像機は、表示装置１、スピーカ２、チューナ３、映像音声処理回路４、入力切替回路５、電源装置６、制御装置７を備え、外部機器８を接続するための複数の入力端子９を有する。
【００１７】
入力端子９には、外部機器８として、ＤＶＤ、ＣＤ、ハードディスク、ビデオテープ等の記録媒体の記録再生を行うデジタル記録再生装置あるいはアナログ記録再生装置、さらにはデジタルビデオカメラ、デジタルカメラ、パソコン等が接続され、動画や静止画の映像信号が入力される。なお、ここでの映像信号は音声信号も含むものとする。
【００１８】
入力切替回路５は、スイッチＩＣを備え、各入力端子９からの入力信号を選択して、映像音声処理回路４に出力する。映像音声処理回路４は、クロマＩＣ等を備え、入力された映像信号を映像として表示できるように信号処理するとともに、音声信号を分離する。信号処理された映像信号はＣＲＴからなる表示装置１に出力され、フライバックトランス（ＦＢＴ）１０から高電圧を供給された表示装置１は映像を表示する。また、音声処理回路１１は、映像音声処理回路４から出力された音声信号を増幅して、スピーカ２を鳴らす。
【００１９】
電源装置６は、商用電源を変圧して、各装置、回路に供給するとともに、レギュレータ１２を通じて直流電源を制御装置７に供給する。制御装置７は、ＣＰＵ、ＲＯＭ、ＲＡＭを有するマイコンからなり、入力された映像信号を表示装置１やスピーカ２から出力できるように、内蔵されたプログラムにしたがって装置全体の制御を行う。
【００２０】
本テレビジョン受像機では、自動電源オン機能を有している。そのため、制御装置７は、自機器の電源がオフのときに、外部機器８の電源のオンオフを検出する入力検出手段と、外部機器８の電源がオンしたとき、電源をオンする駆動手段とを有する。また、駆動手段は、外部機器８の電源のオンオフが繰り返されたときにも、電源をオンする機能を有する。ここで、外部機器８の電源が１回オンすることは、通常の入力形態であり、この場合に電源をオンする動作を第１動作モードとする。外部機器８の電源がオンオフを繰り返すことは、通常の形態とは異なる特異な入力形態であり、この場合に電源をオンする動作を第２動作モードとする。
【００２１】
入力検出手段は、各入力端子９に入力される入力信号の有無に基づいて電源のオンオフを検出する。すなわち、外部機器８の電源がオンすると、外部機器８は、テレビジョン受像機に映像信号等の信号を出力する。この入力信号は入力端子９を通じて制御装置７に入力される。したがって、外部機器８からの入力信号の有無を検出することにより、外部機器８の電源のオンオフがわかる。入力信号有りの場合、外部機器８の電源がオンされたことになる。入力信号無しの場合、外部機器８の電源はオフである。
【００２２】
例えば、映像信号が入力された場合、入力検出手段は、映像信号の同期信号、例えば水平同期信号および垂直同期信号のどちらか一方あるいは両方を検出して、電源のオンオフを判断する。
【００２３】
そして、入力検出手段は、電源のオンオフを所定時間の間だけ検出する。すなわち、最初の電源のオンを検出してから、所定時間内に電源のオンが何回あるかを検出する。これによって、電源が１回だけオンされたか、電源がオン、オフ、オンと繰り返されたかを判断する。
【００２４】
駆動手段は、各動作モードにおいて、電源装置６を制御して、各装置、回路に電源を供給し、各装置、回路の動作を開始させる。すなわち、電源をオンすることは、各装置、回路の動作を開始させることになり、入力信号に基づいた動作が行なわれる。例えば、外部機器８から映像信号が入力された場合、入力切替回路５が映像信号を映像音声処理回路４に出力して、その映像が表示される。なお、制御装置７には、常時電源が供給されており、電源がオンでなくても、入力端子９からの入力信号の有無を検出できる。
【００２５】
制御装置７は、各入力端子９に対して、いずれの動作モードを実行するかを任意に設定する。また、いずれの動作モードを実行しないようにも設定できる。この場合、手動で電源をオンしなければならない。
【００２６】
次に、自動電源オンの動作を説明する。テレビジョン受像機は、４つの入力端子９を備え、第１入力端子９には、ＤＶＤ、ハードディスク等のデジタル記録再生装置、第２入力端子９には、ビデオテープのアナログ記録再生装置、第３入力端子９には、デジタルビデオカメラがそれぞれ接続され、第４入力端子９には何も接続されていないものとする。そして、アナログ記録再生装置は、ジャストクロック機能を有しており、決められた時間に電源がオンし、その後自動的に電源がオフする。
【００２７】
まず、入力端子９に対する自動切替の有無を設定する。リモコン等の操作装置の操作によって、制御装置７は、図２に示すように、表示装置１に自動切替用設定画面を表示する。入力端子９ごとに、「１回」、「２回」のいずれかを選択することにより、動作モードが設定される。「１回」は第１動作モード、「２回」は第２動作モードである。第１入力端子９には第１動作モード、第２入力端子９には第２動作モード、第４入力端子９には第１動作モードが設定される。第３入力端子９には、動作モードは設定されない。また、「オフ」は、入力信号があったとき、入力切替回路５を自動的に動作させるか否かの設定用である。「オフ」を選択すれば、制御装置７は、入力信号があっても、電源をオンせず、入力切替回路５を作動させない。そのため、第３入力端子９に接続した外部機器８からの映像信号を入力して表示するには、手動で電源をオンし、入力切り替えを行わなければならない。
【００２８】
また、電源のオンオフを検出するための所定時間であるキー入力間隔を設定する。ここでは、１０秒に設定される。この所定時間は、記録再生装置がジャストクロック機能によって動作する時間（通常は６分程度）より短い時間に設定しておくとよい。
【００２９】
さらに、複数の外部機器８の電源がオンされたときに、いずれの外部機器８からの入力を優先するかを決める優先順位を各入力端子９に対して設定する。ここでは、第２入力端子、第１入力端子、第３入力端子の順に設定される。
【００３０】
図３に示すように、テレビジョン受像機の電源がオフされている。この間でも、制御装置７は、外部機器８の電源のオンオフを検出している。なお、すでにテレビジョン受像機の電源がオンされているとき、自動電源オンの機能は働かない。
【００３１】
今、第２入力端子９に接続されている外部機器８の電源がオンすると、外部機器８からの信号が第２入力端子９に入力される。制御装置７は、各入力端子９への入力信号の有無を常時検出しており、第２入力端子９から入力信号が入力されたことを検知すると、タイムカウントを開始する。引き続き、制御装置７は、外部機器８の電源オンオフの検出を継続する。
【００３２】
外部機器８の電源がオフされないまま、所定時間経過すると、制御装置７は、第２動作モードを実行しない。そのため、テレビジョン受像機の電源は自動的にオンしない。ユーザは、手動で電源をオンする必要がある。このようなケースとしては、外部機器８がジャストクロック機能によって電源オンしたとき、あるいはタイマ録画によって電源オンしたときである。したがって、テレビジョン受像機は、不要な電源オンを行わずにすむ。
【００３３】
外部機器８の電源がオフすると、第２入力端子９への入力信号がなくなり、制御装置７は、電源がオフされたことを検知する。その後、外部機器８の電源がオンしないとき、制御装置７は、第２動作モードを実行せず、電源をオフした状態を維持する。
【００３４】
再び外部機器８の電源がオンすると、第２入力端子９に入力信号が入力され、制御装置７は、２回目の電源オンを検知する。このとき、タイムカウントの値より、所定時間内に２回目の電源オンがされたかを判断する。所定時間内であれば、第２動作モードが実行される。すなわち、制御装置７は、電源をオンして、各装置、回路に電源を供給する。制御装置７によって、入力切替回路５は、第２入力端子９からの入力信号を出力するように切り替えられる。外部機器８からの入力信号である映像信号は、入力切替回路５から映像音声処理回路４に出力される。そして、映像が表示装置１に表示され、音声がスピーカ２から鳴らされる。
【００３５】
２回目の電源オンのタイミングが所定時間を越えていたとき、制御装置７は、第２動作モードを実行せず、電源をオフした状態を維持する。入力切替回路５は作動しないので、外部機器８からの入力信号は入力切替回路５で遮断される。このとき、手動で電源をオンし、入力切り替えを行うと、外部機器８からの映像は表示装置１に表示される。
【００３６】
テレビジョン受像機の電源がオフの状態から外部機器８の入力信号を検出して、自動的に電源オンされた後、外部機器の電源がオフされる。テレビジョン受像機は電源オンのままである。そこで、チャンネル切替等の操作が一定時間行われない場合、制御装置７は、外部機器からの入力信号も含めて信号の無い状態を一定時間検出すると、自動的に電源をオフする。このとき、制御装置７は、チューナ３からの入力信号を出力する状態にして、電源をオフする。すなわち、チャンネル、音量、明るさ等を自動的に電源オンする前の状態にセットしてから、電源をオフする。これによって、次にテレビジョン受像機の電源をオンしたとき、以前視聴していたチャンネルの映像が表示される。
【００３７】
ところで、上記の外部機器８の電源のオンオフは、ユーザが意図的に操作することによって行われる。これを外部機器８が自動的に行うようにしてもよい。例えば、外部機器８に専用の連動スイッチを設ける。この連動スイッチを操作すると、決められた時間内に電源のオンオフが自動的に実行される。このとき、電源のオンオフを２回以上繰り返してもよい。
【００３８】
また、第２入力端子９に接続されている外部機器８の代わりに、第１入力端子９に接続されている外部機器８の電源がオンしたとき、制御装置７は、この電源のオンを検知して、第１動作モードを実行する。すなわち、テレビジョン受像機の電源がオンして、外部機器８からの映像が表示装置１に表示される。
【００３９】
第１入力端子９に接続された外部機器８と第２入力端子９に接続された外部機器８とが同時に電源オンしたとき、制御装置７は、それぞれの電源のオンを検知する。そして、各入力端子９に対する優先順位を確認し、優先順位が上位の入力端子９からの入力信号を選択するように、入力切替回路５を切り替える。ここでは、第２入力端子９が上位であるので、制御装置７は、第２動作モードを実行し、２回目の電源オンがあるかを検出する。
【００４０】
また、制御装置７が第２入力端子９からの入力信号を検知した後、所定時間内に他の入力端子９に接続された外部機器８の電源がオンするときがある。このとき、制御装置７は、第２動作モードを優先して実行し、この外部機器８からの入力信号を検知しても、電源をオンしない。
【００４１】
なお、本発明は、上記実施形態に限定されるものではなく、本発明の範囲内で上記実施形態に多くの修正および変更を加え得ることは勿論である。映像音響機器は、テレビジョン受像機に限らず、モニタ、記録再生装置、パソコンであってもよい。
【００４２】
また、外部機器の電源のオンオフを検出するとき、入力端子からの映像信号の有無によって行う代わりに、外部機器が、意図的に通常とは異なる特異な信号を生成して出力するようにしてもよい。例えば、外部機器から音声信号を含む映像信号が出力されるが、音声信号を含まない映像信号あるいは音声信号のみを出力する。さらには、音声信号がステレオ信号である場合、左右どちらか一方の音声信号だけを出力する。また、信号の出力タイミングを変える。
【図面の簡単な説明】
【００４３】
【図１】本発明のテレビジョン受像機の概略構成を示すブロック図
【図２】自動切替用設定画面を示す図
【図３】自動電源オンの動作時のフローチャート
【符号の説明】
【００４４】
１    表示装置
２    スピーカ
４    映像音声処理回路
５    入力切替回路
６    電源装置
７    制御装置
８    外部機器
９    入力端子
【図１】
2005167774.tif 000003
【図２】
2005167774.tif 000004
【図３】
2005167774.tif 000005